(57)【要約】      （修正有）【課題】充填した茶葉の交換が容易で、常に心地よい茶の香りを醸し出すと共に、充填した茶で汚染されず、寝返り等で茶葉に一部が粉末になっても、茶葉の粉が茶葉の包装袋から外に放出しない茶入り枕を提供する。【解決手段】少なくとも茶葉を充填した枕において、茶葉を、茶粉末を通さない通気性袋に密封収容した使い捨て用の茶材パック３と、布袋に収納した柔軟充填材パック５とを、上下に重ねて袋本体２に収容したこと、茶材パック３を、更に茶材用布袋に収納したことを特徴とする。【選択図】図１
0003218275.tif 000002
【実用新案登録請求の範囲】
【請求項１】
少なくとも茶葉（３ｂ）を充填した枕において、  前記茶葉（３ｂ）を、茶粉末を通さない通気性袋（３ａ）に密閉状態で充填した使い捨て用の茶材パック（３）と、柔軟充填材（５ｂ）を布袋（５ａ）に充填した柔軟充填材パック（５）とを、上下に重ねて袋本体（２）に収納したことを特徴とする茶入り枕。  
【請求項２】
前記茶材パック（３）を、更に茶材用布袋（４）に収納した請求項１記載の茶入り枕。
【請求項３】
前記茶材パック（３）と、前記柔軟充填材パック（５）とを２層にして前記袋本体（２）に収納した請求項１記載の茶入り枕。
【請求項４】
前記茶材パック（３）を、前記柔軟充填材パック（５）で上下から挟んで３層にして前記袋本体（２）に収納した請求項１記載の茶入り枕。
【請求項５】
前記茶材用布袋（４）に収納した前記茶材パック（３）と、前記柔軟充填材パック（５）とを２層にして前記袋本体（２）に収納した請求項２記載の茶入り枕。
【請求項６】
前記茶材用布袋（４）に収納した前記茶材パック（３）を、前記柔軟充填材パック（５）で上下から挟んで３層にして前記袋本体（２）に収納した請求項２記載の茶入り枕。
【考案の詳細な説明】
【技術分野】
【０００１】
本考案は、充填した茶葉の交換が容易で、常に心地よい茶の香りを醸し出す茶入り枕に関する。
【背景技術】
【０００２】
従来、枕の中に茶葉を充填した枕が開発され開示されている。
【０００３】
例えば、特許文献１（実用新案３０８５２５７号公報）では、中仕切りを設けた通気性筒状体の各室内の、茶殻及びビーズを密閉すると共に、これを両端にキンチャク式結び紐を備えた筒状枕袋体内に挿入し結束してなる枕が開示されている。
これにより、枕のソフト感触とハード感触を裏返すだけで選択できると共に、結び紐操作のみで枕の高さ調整が行え、しかもやさしい香りで安眠を誘えるというものである。
【０００４】
また、特許文献２（特開平８−１３１３０７号公報）では、通気性素材により袋状の側地を形成し、側地内に焙じ茶を充填した枕が開示されている。
これにより、ダニやカビが発生し難く、除熱、吸湿性等に優れることに加え、より刺激の少ない心地良い香気を放出して快適な睡眠を促すことができるというものである。
【先行技術文献】
【特許文献】
【０００５】
【特許文献１】実用新案３０８５２５７号公報
【特許文献２】特開平８−１３１３０７号公報
【考案の概要】
【考案が解決しようとする課題】
【０００６】
しかしながら、上記特許文献1、２の枕は、枕の中に茶（茶殻や焙じ茶）を入れたものであるが、この枕を半年以上の長期間使用すると、やがて茶の香りがなくなり、香気による快適な睡眠を促す作用も減退すると共に、寝返り等により、茶葉の一部が粉末状となり、その粉末が枕から放出され、枕や布団を汚す等の問題点を有していた。
この枕から放出される原因は、従来の枕の茶葉が完全に袋の中に密封された状態にしてない点である。
【０００７】
又、長期間の使用で、茶の香りがしなくなった枕は使用されなくなったり、あるいは古い茶葉を交換するにしても、袋の中から古い茶葉を取り出して詰め替えたり、その際に袋も洗濯しなければならず、これらに手間がかかる等の問題点があった。
【０００８】
本考案は、茶の香りがしなくなっても、茶葉の交換が容易で、常に心地よい茶の香りを醸し出す茶入り枕を提供することを目的する。
【０００９】
他の目的は、寝返り等で茶葉の一部が粉末になっても、その粉末が茶葉を充填した袋から外に放出されず、充填した茶葉で枕や布団が汚染されない茶入り枕を提供することにある。
【課題を解決するための手段】
【００１０】
本考案は、上記問題点に鑑み、これを解消するものであり、少なくとも茶葉（３ｂ）を充填した枕において、前記茶葉（３ｂ）を、茶粉末を通さない通気性袋（３ａ）に密閉状態で充填した使い捨て用の茶材パック（３）と、柔軟充填材（５ｂ）を布袋（５ａ）に充填した柔軟充填材パック（５）とを上下に重ねて袋本体（２）に収納したことを特徴とする。  
【００１１】
前記茶材パック（３）を、更に茶材用布袋（４）に収納するのがよい。
【００１２】
前記茶材パック（３）と、前記柔軟充填材パック（５）とを２層にして前記袋本体（２）に収納するのがよい。
【００１３】
前記茶材パック（３）を、前記柔軟充填材パック（５）で上下から挟んで３層にして前記袋本体（２）に収納するのがよい。
【００１４】
前記茶材用布袋（４）に収納した前記茶材パック（３）と、前記柔軟充填材パック（５）とを２層にして前記袋本体（２）に収納するのがよい。
【００１５】
前記茶材用布袋（４）に収納した前記茶材パック（３）を、前記柔軟充填材パック（５）で上下から挟んで３層にして前記袋本体（２）に収納するのがよい。
【考案の効果】
【００１６】
本考案では、枕に充填する茶葉（３ｂ）を、通気性袋（３ａ）に密閉状態で収納した使い捨て用の茶材パック（３）であるから、枕を長期間の使用で茶の香りがなくなっても、茶材パック（３）を交換すれば、枕は本来の茶の香りを醸し出すし、その交換作業も茶材パック（３）の袋ごと交換できるので、極めて簡単にでき交換の手間が省ける。
また、茶葉（３ｂ）は、茶粉末を通さない通気性袋（３ａ）に密閉状態で収納したことにより、長期間の使用や使用中の寝返り等で茶葉（３ｂ）の一部が粉状になっても、その茶粉末が枕から放出され難い。
【００１７】
また、茶材パック（３）を、更に茶材用布袋（４）に収納すると、茶葉（３ｂ）が２重に包装された状態であるから、茶粉末が通気性袋（３ａ）から多少漏れたとしても、茶粉末は外側の茶材用布袋（４）内に留まり、茶材用布袋（４）からの放出を防止し、枕や布団を汚すこともない。
【００１８】
また、茶材パック（３）が、交換式であるから、それだけを別売りの商品として販売できる。
【図面の簡単な説明】
【００１９】
【図１】本考案の茶入り枕を示す一部切り欠いた状態の全体斜視図である。
【図２】本考案の２層から成る茶入り枕を示す断面図である。
【図３】本考案の３層から成る茶入り枕を示す断面図である。
【図４】本考案の茶材パックを示す一部切り欠いた状態の斜視図である。
【図５】本考案の柔軟充填材パックを示す斜視図である。
【図６】本考案の茶材パックを茶材用布袋に収納した状態を示す斜視図である
【考案を実施するための形態】
【００２０】
以下、本考案の実施形態につき図を基に説明する。図１に示すように、（１）は茶入り枕であり、この茶入り枕（１）は、布製の袋本体（２）内に、茶材パック（３）と柔軟充填材パック（５）とを上下に積層にして収納したものである。この袋本体（２）の一端はチャック、ボタン、フアスナー等で開閉可能な開口部（２ａ）を有し、この開口部（２ａ）から茶材パック（３）が何時でも袋ごと交換ができるようにしている。
【００２１】
茶材パック（３）は、図４の如く、略扁平な通気性袋（３ａ）に茶葉（３ｂ）を収納し完全に密閉した使い捨て用のパックである。
この茶材パック（３）に使用する通気性袋（３ａ）は、茶粉末を通さない通気性を有する素材で袋状に加工したものであり、茶材パック（３）の交換時に使い捨てるため、袋本体（２）よりも安価なものが好ましく、しかも茶材パック（３）の少なくとも交換時まで破れない耐久性のあるものがよい。
【００２２】
通気性袋（３ａ）の素材としては、通気性で水や茶粉末を通さない微多孔質のポリオレフィン系フィルム、各種不織布を組み合わせた素材等が使用される。
要するに、通気性袋（３ａ）の素材は、茶葉（３ｂ）の香気のみを通過させるものが好ましく、例えば、日東電工株式会社製の商標名ブレスロン等を使用すればよい。
【００２３】
また、通気性袋（３ａ）の密閉は、茶葉（３ｂ）を充填した状態で通気性袋（３ａ）が密封され、茶葉（３ｂ）は勿論、茶葉（３ｂ）の一部が粉末になっても、それらが通気性袋（３ａ）から放出しない状態にしたことである。
即ち、通気性袋（３ａ）は、前記フィルム、各種不織布等の素材を使用して、袋状に加工する際に、袋の周囲の合わせ目が開口部を除いて密閉され、また、茶葉（３ｂ）を充填した後に開口部も密閉される。
この密閉には、袋の周囲の合わせ目が接着、熱シール等で隙間なく密封され、茶葉（３ｂ）の粉が袋の周囲の合わせ目から放出されないことである。
【００２４】
茶葉は、生葉をそのまま乾燥させたもの、生葉を常法で緑茶に加工したもの等であるが、これ以外の加工手段で加工されたものでもよく、特には、秋に収穫した生葉（通称３番茶という）を使用して乾燥させたものが、葉が厚くしっかりしており、使用中に粉末化し難いため好ましい。
【００２５】
また、前記茶材パック（３）は、図６の如く、更に茶材用布袋（４）に収納し、茶葉（３ｂ）を通気性袋（３ａ）と茶材用布袋（４）で２重に包装するのがよく、このようにすると、仮に、内側の通気性袋（３ａ）から茶粉末がもれ出したり、通気性袋（３ａ）が破れても、外側の茶材用布袋（４）により、茶葉（３ｂ）あるいはその茶粉末が茶材用布袋（４）の外にこぼれ出ることを完全に防げる役目を成す。
尚、茶材用布袋（４）の一端がチャックで開閉可能な開口部（４a）を形成したものであり、茶材パック（３）の交換は開口部（４a）から出入させればよく、この際に、古い茶材パック（３）だけが捨てられ、その他の物は更に使用されるので極めて経済的である。
【００２６】
前記柔軟充填材パック（５）は、図５の如く、一端がチャック等で開閉可能な開口部（５c）を有する略扁平な布袋（５ａ）に、充填材が茶葉（３ｂ）とは別に、クッション用の充填材として、そば殻、樹脂パイプ、綿、羽毛等のいずれか一つ、あるいは、それら二つ以上を混合した柔軟充填材（５ｂ）を充填したものであり、そば殻、樹脂パイプ、綿、羽毛等は従来から枕にクッション用の充填材として使用されているものである。
尚、柔軟充填材（５ｂ）は、上記のものに限定されず、それ以外の枕に適するクッション用の充填材でもよい。
【００２７】
この茶材パック（３）と柔軟充填材パック（５）は、上下に重ねて袋本体（２）に収容され、本考案の茶入り枕（１）を構成する。この際に、開閉可能な柔軟充填材パック（５）は、中の柔軟充填材（５ｂ）の量を調整することによって枕の高さを調整することが出来る。
【００２８】
茶材パック（３）と柔軟充填材パック（５）とを上下に重ねる形態は、図２の如く、２層にする場合と、図３の如く、茶材パック（３）を挟んで上下に柔軟充填材パック（５）を配した状態の３層にする場合がある。
更に、前記２層と３層にする場合、図６の如く、茶材用布袋（４）に収納した状態の茶材パック（３）を使用して行うのがよく、この場合は、茶葉（３ｂ）の茶粉が通気性袋（３ａ）から漏れ出しても、茶材用布袋（４）で完全に防止されるのでより好ましく、しかも茶材用布袋（４）が枕のクッション性をより高める。
そして、前記２層の場合は枕を交互に裏返して使用すれば、茶材パック（３）と柔軟充填材パック（５）のどちらかを頭部側に向けられ、茶葉（３ｂ）の香りの強弱が選択できる。
つまり、茶材パック（３）側を頭部に向けると香りが強く感じられ、柔軟充填材パック（５）側を頭部に向けると、茶材パック（３）が頭部から離れ、茶葉（３ｂ）の香りが弱く感じられるからである。
【００２９】
また、前記３層の場合は、枕を裏返しても、茶材パック（３）と柔軟充填材パック（５）の位置が変わらないので、常に枕の硬さと茶葉（３ｂ）の香りの強さが一定した状態で使用することができるので、人によって、枕の硬さと茶葉（３ｂ）の香りの強さを設定して枕を作れば、その日によって枕を裏返して使用しても、常時設定した状態で使用できる利点がある。
【００３０】
このように、本考案の茶入り枕（１）に於いては、枕に充填した茶葉（３ｂ）の交換が茶材パック（３）により容易で、常に心地よい茶の香りを醸し出すと共に、充填した茶葉（３ｂ）で枕や布団が汚染されることもない。
【００３１】
更に、本考案では、茶葉（３ｂ）を使い捨て用の茶材パック（３）に形成したことにより、茶材パック（３）が交換部材として単独に販売でき、売り上げに寄与する。
【符号の説明】
【００３２】
１  茶入り枕
２  袋本体
３  茶材パック
３ａ  通気性袋
３ｂ  茶葉
４  茶材用布袋
５  柔軟充填材パック
５a  布袋
５ｂ  柔軟充填材
【図１】
0003218275.tif 000003
【図２】
0003218275.tif 000004
【図３】
0003218275.tif 000005
【図４】
0003218275.tif 000006
【図５】
0003218275.tif 000007
【図６】
0003218275.tif 000008